(57)【要約】【課題】  低粘度であり、しかし金属間摩擦係数を低下させることなくシャダー防止寿命を延長された潤滑油組成物を提供する。【解決手段】（Ａ）潤滑油基油、及び（Ｃ）（Ｃ−１）質量平均分子量４，０００〜７，０００を有する、ホウ素化コハク酸イミド化合物、及び    （Ｃ−２）質量平均分子量７，０００超〜１０，０００を有する、ホウ素化コハク酸イミド化合物、を含むことを特徴とする潤滑油組成物。【選択図】なし【特許請求の範囲】
【請求項１】
（Ａ）潤滑油基油、及び
（Ｃ）（Ｃ−１）質量平均分子量４，０００〜７，０００を有する、ホウ素化コハク酸イミド化合物、及び
（Ｃ−２）質量平均分子量７，０００超〜１０，０００を有する、ホウ素化コハク酸イミド化合物、
を含むことを特徴とする潤滑油組成物。
【請求項２】
前記（Ａ）成分の一部又は全部として、１００℃での動粘度６〜８０ｍｍ２／ｓを有するポリα−オレフィン又はα−オレフィン共重合体を、潤滑油組成物全体の質量に対して５〜３０質量％で含有し、及び
（Ｂ）質量平均分子量１５，０００〜４０，０００を有するポリメタクリレートをさらに含む、請求項１記載の潤滑油組成物。
【請求項３】
前記（Ｃ−１）成分及び前記（Ｃ−２）成分が各々、ホウ素を前記（Ｃ−１）成分または前記（Ｃ−２）成分の質量に対して０．１〜３質量％の量で含有する、請求項１又は２記載の潤滑油組成物。
【請求項４】
前記（Ｃ−１）成分と前記（Ｃ−２）成分の質量比が（Ｃ−２）／（Ｃ−１）＝１〜１０である、請求項１〜３のいずれか１項記載の潤滑油組成物。
【請求項５】
１００℃における動粘度３〜１０ｍｍ２／ｓを有する、請求項１〜４のいずれか１項記載の潤滑油組成物。
【請求項６】
粘度指数１５０以上を有する、請求項１〜５のいずれか１項記載の潤滑油組成物。
【請求項７】
さらに（Ｄ）金属清浄剤を含有する、請求項１〜６のいずれか１項記載の潤滑油組成物。
【請求項８】
さらに（Ｅ）エーテルスルホラン化合物を含有する、請求項１〜７のいずれか１項記載の潤滑油組成物。
【請求項９】
無段変速機用である、請求項１〜８のいずれか１項記載の潤滑油組成物。
【発明の詳細な説明】
【技術分野】
【０００１】
本発明は潤滑油組成物、とりわけ自動車用変速機に好適に使用されることを特徴とする潤滑油組成物に関する。さらに詳細には、無段変速機用潤滑油組成物に関する。
【背景技術】
【０００２】
潤滑油組成物は、内燃機関用、自動変速機用、ギヤ油用など自動車分野で幅広く使用されている。近年、省燃費性を達成するために、潤滑油組成物の低粘度化が求められている。また、有段の自動変速機に替わって無段変速機（ＣＴＶ）が広く用いられてきており、動力伝達に金属ベルトとプーリーを使用する金属ベルト式ＣＶＴが一般的となっている。
【０００３】
無段変速機車の燃費向上のための一つの方法としてロックアップクラッチの作動条件拡大があり、ロックアップクラッチのシャダー防止寿命を延ばすことが要求される。しかし、シャダー防止寿命を延ばすために摩擦調整剤を増量すると、金属ベルトとプーリー間の金属間摩擦係数が低下して、ベルトグリップ性能が低下し、トルク伝達能力が低下するという問題が生じる。このようにシャダー防止性能と金属間摩擦係数はトレードオフの関係にあり、十分なトルク特性とシャダー防止性能とを高いレベルで両立させることが要求されている。変速機用潤滑油組成物を低粘度化した場合、十分な金属間摩擦係数を得ることができず、十分大きなトルクを確保できないという問題もある。
【０００４】
従来の無段変速機用潤滑油組成物として例えば特許文献１〜５に記載がある。特許文献１は、ホウ素を含まない特定のコハク酸イミド化合物とリン系化合物を配合し、かつジアルキルジチオリン酸亜鉛を含有しないようにした潤滑油組成物を記載し、金属ベルトやチェーンとプーリー間の摩擦係数を著しく向上させ、長期に亘って高い摩擦係数を維持でき、且つクラッチ板の目詰まりを引き起こすことがないと記載している。特許文献２は、スルホネート系清浄剤、サリシレート系清浄剤及びホウ素含有コハク酸イミド系添加剤を特定量及び特定量比で含む潤滑剤組成物を記載し、十分なトルク伝達容量と変速特性を保持し、シャダー防止性能に優れると記載している。特許文献３は、特定の重量平均分子量を有するホウ素化アルキルコハク酸イミド及び／またはホウ素化アルケニルコハク酸イミド、及び直鎖型アルキル基を有する金属系清浄剤を特定量含む潤滑油組成物を記載し、高い金属間摩擦係数を有し、変速特性とシャダー防止性能に優れると記載している。特許文献４は、特定のスルホラン誘導体、カルシウムスルホネート及びカルシウムフェネートから選ばれる１種以上、及び特定の粘度指数向上剤を特定量配合する潤滑油組成物を記載し、高い金属摩擦係数を有し、低粘度化による省燃費性と部品耐久性を両立させたと記載している。特許文献５は、カルシウムサリシレート、リン系摩耗防止剤、摩擦調整剤、分散型粘度指数向上剤の少なくとも４種類の添加剤を必須成分として配合することにより、高い金属間摩擦係数とシャダー防止性を両立できると記載している。
【先行技術文献】
【特許文献】
【０００５】
【特許文献１】特開２００６−０５６９３４号公報
【特許文献２】特開２００７−１２６５４１号公報
【特許文献３】特開２００９−２１５３９５号公報
【特許文献４】特開２０１０−１８０２７８号公報
【特許文献５】特開２０００−３５５６９５号公報
【発明の概要】
【発明が解決しようとする課題】
【０００６】
本発明は、上記事情に鑑み、低粘度化した場合においても金属間摩擦係数を低下させることなくシャダー防止寿命を延長された潤滑油組成物を提供することを第一の目的とする。
【課題を解決するための手段】
【０００７】
本発明者らは鋭意検討を進めた結果、無灰分散剤として、特定の質量平均分子量を有する２種類のホウ素化コハク酸イミド化合物を組合せることにより、低粘度化した場合においても金属間摩擦係数を低下させることなくシャダー防止寿命を延長できることを見出し、本発明を成すに至った。
【０００８】
すなわち本発明は、
（Ａ）潤滑油基油、及び
（Ｃ）（Ｃ−１）質量平均分子量４，０００〜７，０００を有する、ホウ素化コハク酸イミド化合物、及び
（Ｃ−２）質量平均分子量７，０００超〜１０，０００を有する、ホウ素化コハク酸イミド化合物、
を含むことを特徴とする潤滑油組成物を提供する。
【０００９】
また、燃費向上のためには、高温（例えば１００℃）での粘度をできるだけ維持しつつ、燃費に影響する低温（例えば４０℃）の粘度を低減すること、すなわち高い粘度指数が求められるが、従来の無段変速機潤滑油組成物では、機械的せん断により基油や粘度指数向上剤の高分子鎖が切断され、走行に伴い高温粘度の低下を招くという問題がある。
【００１０】
本発明者らは上記潤滑油組成物においてさらに潤滑油基油と粘度指数向上剤の構成を特定することにより、金属間摩擦係数を低下させることなくシャダー防止寿命を延長する効果に加えて、せん断安定性を向上することができることを見出した。
すなわち、本発明はさらに、
（Ａ）潤滑油基油、及び
（Ｃ）（Ｃ−１）質量平均分子量４，０００〜７，０００を有する、ホウ素化コハク酸イミド化合物、及び
（Ｃ−２）質量平均分子量７，０００超〜１０，０００を有する、ホウ素化コハク酸イミド化合物、
を含み、
前記（Ａ）成分の一部又は全部として、１００℃での動粘度６〜８０ｍｍ２／ｓを有するポリα−オレフィン又はα−オレフィン共重合体を、潤滑油組成物全体の質量に対して５〜３０質量％で含有し、及び
（Ｂ）質量平均分子量１５，０００〜４０，０００を有するポリメタクリレートをさらに含む、潤滑油組成物を提供する。
【００１１】
さらに本発明の潤滑油組成物の好適な態様は、下記（１）〜（７）の少なくとも１の特徴を有する。
（１）  前記（Ｃ−１）成分及び前記（Ｃ−２）成分が各々、ホウ素を前記（Ｃ−１）成分及び前記（Ｃ−２）成分の質量に対して０．１〜３質量％の量で含有する。
（２）  前記（Ｃ−１）成分と前記（Ｃ−２）成分の質量比が（Ｃ−２）／（Ｃ−１）＝１〜１０である。
（３）  潤滑油組成物が、１００℃における動粘度３〜１０ｍｍ２／ｓを有する。
（４）  潤滑油組成物が、粘度指数１５０以上を有する。
（５）  潤滑油組成物が、さらに（Ｄ）金属清浄剤を含有する。
（６）  潤滑油組成物が、さらに（Ｅ）エーテルスルホラン化合物を含有する。
（７）  潤滑油組成物が、無段変速機用潤滑油組成物である。
【００１２】
特には上記潤滑油組成物は前記（Ａ）成分の一部又は全部として、１００℃での動粘度６〜８０ｍｍ２／ｓを有するポリα−オレフィン又はα−オレフィン共重合体を、潤滑油組成物全体の質量に対して５〜３０質量％で含有し、且つ、（Ｅ）エーテルスルホラン化合物を含有するのが好ましい。合成基油は鉱物油に比べてパッキンやガスケットと呼ばれるオイルシールゴムとの親和性が低く、また、高分子量（高粘度）基油ほどその親和性は低くなる。親和性が低いとシールゴムの膨潤性が低下し、逆に収縮しやすくなる。これによりシール性が低下し油漏れを起こすという問題がある。本発明の潤滑油組成物を当該構成とすることにより、シールゴムの膨潤性をより確保することができる。
【発明の効果】
【００１３】
本発明の潤滑油組成物は、金属間摩擦係数を低下させることなくシャダー防止寿命を延長することができる。当該効果は潤滑油組成物の１００℃での動粘度を５．０程度にまで下げたとしても達成できる。また本発明によれば、当該効果に加えてさらに、せん断安定性を向上した潤滑油組成物を提供することができる。さらには、シールゴムの膨潤性を確保することもできる。本発明の潤滑油組成物は無段変速機用潤滑油組成物として特に好適に使用できる。
【発明を実施するための形態】
【００１４】
以下、各成分について説明する。
【００１５】
（Ａ）潤滑油基油
本発明における潤滑油基油としては従来公知の潤滑油基油を使用でき、鉱油、合成油、あるいはこれらの混合油がある。特には、潤滑油基油の一部又は全部として、１００℃での動粘度６〜８０ｍｍ２／ｓを有するポリα−オレフィン又はα−オレフィン共重合体を、潤滑油組成物全体の質量に対して５〜３０質量％含有するのが好ましく、より好ましくは下限は６質量％、より好ましくは、８質量％、上限は２５質量％、より好ましくは、２０質量％である。前記基油の含有量が前記下限値未満では十分な粘度指数、すなわち省燃費性と機械要素への保護性能の両立が得られず、前記上限値超ではせん断安定性の低下やゴムの適合性の悪化（ゴムの収縮）が起きるおそれがある。
【００１６】
ポリα−オレフィン及びα−オレフィン共重合体は、１００℃での動粘度６〜８０ｍｍ２／ｓを有するのがよく、好ましくは８〜８０ｍｍ２／ｓであり、より好ましくは８〜６０ｍｍ２／ｓであり、さらに好ましくは９〜４０ｍｍ２／ｓであるのがよい。１００℃での動粘度が前記下限値未満では、粘度指数、すなわち省燃費性と機械要素への保護性能の両立が得られず、１００℃での動粘度が前記上限値超では、せん断安定性やゴムの適合性の悪化（ゴムの収縮）するため好ましくない。
【００１７】
ポリα−オレフィン又はα−オレフィン共重合体は、α−オレフィンの（コ）ポリマー又は（コ）オリゴマーであり、上記動粘度を有するものであればよく、潤滑油基油として従来公知のものを使用できる。α−オレフィンは、例えば、炭素数２〜１４、好ましくは炭素数４〜１２の直鎖又は分岐のオレフィン炭化水素から選ばれるものである。例えば、１−オクテンオリゴマー、１−デセンオリゴマー、エチレン−プロピレンオリゴマー、イソブテンオリゴマー並びにこれらの水素化物が挙げられる。また、ポリα−オレフィン又はα−オレフィン共重合体は、メタロセン触媒を用いて製造されたものであってもよい。該（コ）ポリマー又は（コ）オリゴマーの質量平均分子量は、１００℃での動粘度が上記範囲を満たすものであればよい。例えば質量平均分子量１，０００〜１０，０００、好ましくは１，１００〜７，０００を有するものである。ポリα−オレフィン又はα−オレフィン共重合体は、１種を単独で使用しても、２種以上を併用してもよい。
【００１８】
本発明の潤滑油組成物は、上記ポリα−オレフィン又はα−オレフィン共重合体と併用して他の潤滑油基油を含んでよい。これらの潤滑油基油は特に制限されるものでなく、従来公知の鉱油系基油及び上記ポリα−オレフィン及びα−オレフィン共重合体以外の合成系基油が使用できる。
【００１９】
鉱油系基油としては、原油を常圧蒸留及び減圧蒸留して得られた潤滑油留分を、溶剤脱れき、溶剤抽出、水素化分解、溶剤脱ろう、接触脱ろう、水素化精製、硫酸洗浄、白土処理等の精製処理等を適宜組み合わせて精製した、パラフィン系、ナフテン系等の潤滑油基油や、溶剤脱ロウで得たワックスを異性化、脱ろうして得られる潤滑油基油が挙げられる。該鉱油系基油の動粘度は特に制限されるものでないが、低粘度を有する潤滑油組成物を得るためには、１〜５ｍｍ２／ｓであるのが好ましい。
【００２０】
合成系基油としては、イソパラフィン、アルキルベンゼン、アルキルナフタレン、モノエステル、ジエステル、ポリオールエステル、ポリオキシアルキレングリコール、ジアルキルジフェニルエーテル、ポリフェニルエーテル並びにＧＴＬ基油等が使用できる。該合成系基油の動粘度は特に制限されるものでない。また、１００℃での動粘度が６ｍｍ２／ｓ未満又は８０ｍｍ２／ｓ超であるポリα−オレフィン又はα−オレフィン共重合体を使用することも可能である。低粘度を有する潤滑油組成物を得るためには、合成系基油の動粘度は１〜６ｍｍ２／ｓであるのが好ましい。
【００２１】
上記併用出来る基油は、１種を単独で使用しても、２種以上を使用してもよい。２種以上を使用する場合、２種以上の鉱油系基油の使用、２種以上の合成系基油の使用、及び１種以上の鉱油系基油と１種以上の合成系基油の使用が可能である。中でも、鉱油系基油の単独使用、２種以上の鉱油系基油の使用、１００℃の動粘度が１〜６ｍｍ２／ｓ未満である合成系基油の単独使用、１００℃の動粘度が１〜６ｍｍ２／ｓ未満である２種以上の合成系基油の使用が好適である。
【００２２】
また、低粘度を有する潤滑油組成物を得るためには、潤滑油基油全体として、１００℃での動粘度２〜７ｍｍ２／ｓ、好ましくは２．３〜６ｍｍ２／ｓ、特には２．５〜５．６ｍｍ２／ｓを有することが好ましい。        
【００２３】
（Ｂ）粘度指数向上剤
本発明の潤滑油組成物は従来公知の粘度指数向上剤を含有することができる。好ましくは、粘度指数向上剤として質量平均分子量１５，０００〜４０，０００を有するポリメタクリレートを含むのが好ましい。質量平均分子量の下限は、好ましくは１７，０００、より好ましくは１８，０００であるのがよい。質量平均分子量の上限は、好ましくは３８，０００、より好ましくは３６，０００であるのがよい。質量平均分子量が前記下限値未満であると、粘度指数向上の効果が不十分であり、質量平均分子量が前記上限値超である場合には、粘度指数向上の効果は得られるものの、せん断安定性が悪化するため好ましくない。前記ポリメタクリレートの含有量は限定的ではないが、潤滑油組成物中０．１〜２０質量％が好ましく、１〜１５質量％がより好ましく、２〜１０質量％がさらに好ましい。
【００２４】
ポリメタクリレートは、1種を単独で使用しても、２種以上を併用してもよい。２種以上を併用する場合の含有量は限定的ではない。ポリメタクリレートの合計含有量が潤滑油組成物中０．１〜２０質量％となる量が好ましく、１〜１５質量％がより好ましく、２〜１０質量％がさらに好ましい。
【００２５】
本発明の潤滑油組成物は、上記ポリメタクリレートと併せて他の粘度指数向上剤を含んでもよい。当該他の粘度指数向上剤としては、質量平均分子量が１５，０００未満のポリメタクリレート、質量平均分子量が４０，０００超であるポリメタクリレート、ポリイソブチレン及びその水添物、スチレン−ジエン水素化共重合体、スチレン−無水マレイン酸エステル共重合体及びポリアルキルスチレンが挙げられる。他の粘度指数向上剤を含む場合の配合量は、潤滑油組成物中０．１〜１５質量％となる量が好ましい。
【００２６】
（Ｃ）ホウ素化コハク酸イミド化合物
本発明の潤滑油組成物は、無灰分散剤として、２種類の特定のホウ素化コハク酸イミド化合物を含むことを特徴とする。すなわち本発明は、潤滑油組成物が、（Ｃ−１）質量平均分子量４，０００〜７，０００、好ましくは５，０００〜７，０００、を有するホウ素化コハク酸イミド化合物と、（Ｃ−２）質量平均分子量７，０００超〜１０，０００、好ましくは７，１００〜９，６００、を有するホウ素化コハク酸イミド化合物とを組合わせて含むことを特徴とする。以下において、上記（Ｃ−１）成分を第１のホウ素化コハク酸イミド化合物といい、上記（Ｃ−２）成分を第２のホウ素化コハク酸イミド化合物ということがある。（Ｃ）成分は好ましくは、組成物全体に対し０．５〜３．０質量％、より好ましくは０．６〜２．５質量％、さらに好ましくは０．９〜２．０質量％の量で組成物に含有される。上記下限未満では、シャダー防止性が確保できなくなる可能性がある。上記上限超では、低温における粘度が高くなる可能性がある。
【００２７】
（Ｃ−１）成分と（Ｃ−２）成分との質量比は、限定的ではないが、（Ｃ−２）／（Ｃ−１）＝１〜１０が好ましく、１．５〜８がより好ましく、２〜６がさらに好ましい。上記範囲となる比で含有することにより、摩擦係数とシャダー特性との両立を図ることができる。
（Ｃ−１）の量が不足の場合には、シャダー防止性において低温、例えば40℃での特性が不十分で耐久試験の中で早期に顕在化するという問題があり、
（Ｃ−２）の量が不足の場合には、高温、例えば120℃での特性が不十分で耐久試験の中で早期に顕在化するという問題がある。  
【００２８】
本発明における第１及び第２のホウ素化コハク酸イミド化合物は、無灰分散剤として公知のホウ素化コハク酸イミド化合物であってよい。ホウ素化コハク酸イミド化合物とは、アルキル基又はアルケニル基を分子中に少なくとも１個有するコハク酸イミド化合物を、ホウ酸又はホウ酸塩等で変性した（ホウ素化した）ものが挙げられる。アルキル基又はアルケニル基とは、例えば、プロピレン、１−ブテン、イソブチレン等のオレフィンのオリゴマー、エチレンとプロピレンのコオリゴマーなどが挙げられる。
【００２９】
コハク酸イミド化合物とは、より詳細には、ポリアミンに無水コハク酸が付加した化合物である。モノタイプのコハク酸イミド化合物及びビスタイプのコハク酸イミド化合物があり、いずれも使用することができる。モノタイプのコハク酸イミド化合物は例えば下記式（１）で表すことができる。ビスタイプのコハク酸イミド化合物は例えば下記式（２）で表すことができる。
【化１】
2017132987.tif 000002
【化２】
2017132987.tif 000003
上記式において、Ｒ１は互いに独立に炭素数４０〜４００のアルキル基またはアルケニル基であり、ｍは１〜１０の整数であり、ｎは０〜１０の整数である。特にはビスタイプのコハク酸イミド化合物が好ましい。ホウ素化コハク酸イミド化合物は、モノタイプ及びビスタイプの併用、２種以上のモノタイプの併用、２種以上のビスタイプの併用であってもよい。
【００３０】
ホウ素化コハク酸イミド化合物は、より詳細には、上記式で表されるようなコハク酸イミド化合物とホウ素化合物とを反応して得られた化合物である。ホウ素化合物とは、ホウ酸、ホウ酸無水物、ホウ酸エステル、酸化ホウ素、及びハロゲン化ホウ素などである。
【００３１】
（Ｃ−１）第１のホウ素化コハク酸イミド化合物は、質量平均分子量４，０００〜７，０００を有する。該質量平均分子量は、好ましくは５，０００〜７，０００であり、さらに好ましくは５，２００〜６，８００であるのがよい。第１のホウ素化コハク酸イミド化合物の分子量が４，０００未満であると、シャダー特性が悪化する。
尚、本発明において、第１のホウ素化コハク酸イミド化合物の質量平均分子量は、溶媒：THF（テトラヒドロフラン）、充填カラム：スチレン・ジビニルベンゼン共重合体、設定温度：40℃、設定流量1.0ml/分で、RI（示差屈折）検出器にて測定された、ポリスチレン換算の値である。
【００３２】
第１のホウ素化コハク酸イミド化合物におけるホウ素含有量は、限定的ではないが、化合物の質量に対して０．１〜３質量％が好ましく、さらには０．２〜２．５質量％が好ましく、さらには０．２〜２質量％が好ましく、特には０．２〜１．５質量％が好ましい。コハク酸イミド化合物中の窒素含有量は、限定的ではないが、化合物の質量に対して０．３〜１０質量％が好ましく、さらには０．５〜５質量％が好ましく、特には０．８〜２．５質量％が好ましい。
【００３３】
潤滑油組成物中における第１のホウ素化コハク酸イミド化合物の含有量は、限定的ではないが、潤滑油組成物の質量全体に対して０．０５〜２．００質量％が好ましく、０．０８〜１．８０質量％がより好ましく、０．１０〜１．５０質量％がさらに好ましい。含有量が前記下限値未満では十分な清浄性が確保できない可能性があり、前記上限値を超えるとスラッジが発生する可能性がある。
【００３４】
（Ｃ−２）第２のホウ素化コハク酸イミド化合物は、質量平均分子量７，０００超〜１０，０００を有する。該質量平均分子量は、好ましくは７，１００〜９，６００であり、さらに好ましくは７，５００〜９，２００であるのがよい。第２のホウ素化コハク酸イミド化合物の分子量が１０，０００超であると、低温粘度が悪化する。  
尚、本発明において、第２のホウ素化コハク酸イミド化合物の質量平均分子量は、溶媒：THF（テトラヒドロフラン）、充填カラム：スチレン・ジビニルベンゼン共重合体、設定温度：40℃、設定流量1.0ml/分で、RI（示差屈折）検出器にて測定された、ポリスチレン換算の値である。
【００３５】
第２のホウ素化コハク酸イミド化合物におけるホウ素含有量は、限定的ではないが、化合物の質量に対して０．１〜３質量％が好ましく、さらには０．２〜２．５質量％が好ましく、さらには０．２〜２質量％が好ましく、特には０．２〜１．５質量％が好ましい。コハク酸イミド化合物中の窒素含有量は、限定的ではないが、０．２〜５．０質量％が好ましく、さらには０．３〜２．５質量％が好ましく、特には０．５〜２．０質量％が好ましい。
【００３６】
潤滑油組成物中における第２のホウ素化コハク酸イミド化合物の含有量は、限定的ではないが、０．２〜３．０質量％が好ましく、０．４〜２．５質量％がより好ましく、０．６〜２．０質量％がさらに好ましい。前記下限値未満では十分な清浄性が確保できない可能性があり、前記上限値を超えると低温粘度が発生する。
【００３７】
本発明の潤滑剤組成物は、上記（Ｃ−１）成分及び上記（Ｃ−２）成分と併用して、他の無灰分散剤をさらに含有することができる。他の無灰分散剤として典型的には、（Ｃ−３）ホウ素化されていないコハク酸イミド化合物が挙げられる。
【００３８】
ホウ素化されていないコハク酸イミド化合物は、アルキル基又はアルケニル基を分子中に少なくとも１個有する、コハク酸イミド化合物である。例えば、上記式（１）又は（２）で表されるコハク酸イミド化合物である。該コハク酸イミド化合物は、モノタイプのコハク酸イミド化合物及びビスタイプのコハク酸イミド化合物のいずれも使用することができる。好ましくはビスタイプのコハク酸イミド化合物である。モノタイプ及びビスタイプの併用、２種以上のモノタイプの併用、２種以上のビスタイプの併用であってもよい。
【００３９】
ホウ素を含有しないコハク酸イミド化合物を含む場合、その含有量は、潤滑油組成物中に２質量％以下であることが好ましく、さらには１質量％以下であることが好ましい。
【００４０】
本発明の潤滑油組成物は、上記（Ａ）〜（Ｃ）成分に加えて、さらに（Ｄ）金属清浄剤及び／又は（Ｅ）エーテルスルホラン化合物を含むことが好ましい。
【００４１】
（Ｄ）金属清浄剤
金属清浄剤としてはアルカリ金属又はアルカリ土類金属を有する清浄剤が挙げられる。例えば、アルカリ金属又はアルカリ土類金属を含有するスルフォネート、アルカリ金属又はアルカリ土類金属を含有するサリシレート、アルカリ金属又はアルカリ土類金属を含有するフェネートが挙げられるが、これに限定されない。また、アルカリ金属又はアルカリ土類金属としては、マグネシウム、バリウム、ナトリウム、及びカルシウムが挙げられるが、これに限定されない。
【００４２】
アルカリ金属又はアルカリ土類金属を含有するスルフォネートとしては、限定的ではないが、カルシウムスルフォネート、及びマグネシウムスルフォネートが好ましく用いられる。
【００４３】
アルカリ金属又はアルカリ土類金属を含有するサリシレートとしては、限定的ではないが、カルシウムサリシレート、及びマグネシウムサリシレートが好ましく用いられる。
【００４４】
アルカリ金属又はアルカリ土類金属を含有するフェネートとしては、限定的ではないが、カルシウムフェネート、及びマグネシウムフェネートが好ましく用いられる。
【００４５】
金属清浄剤中に含まれるアルカリ金属又はアルカリ土類金属の量は、限定的ではないが、０．１〜２０質量％が好ましく、０．５〜１５質量％がより好ましく、１．０〜１５質量％がさらに好ましい。
【００４６】
金属清浄剤は、限定的ではないが、全塩基価１０〜５００ｍｇＫＯＨ／ｇを有するのが好ましく、５０〜４００ｍｇＫＯＨ／ｇがより好ましく、１５０〜４００ｍｇＫＯＨ／ｇがさらに好ましい。特には、２００〜４００ｍｇＫＯＨ／ｇとした場合、より一層好ましくは３００〜４００ｍｇＫＯＨ／ｇとした場合、最も好ましくは３１０〜４００ｍｇＫＯＨ／ｇとした場合には、清浄性効果も高く、スラッジの発生も抑制可能となるため、最も好ましい。
【００４７】
金属清浄剤は、潤滑油組成物中に任意の割合で含有されればよい。例えば、０〜５質量％であり、より好ましくは０．１〜２質量％であり、さらに好ましくは０．２〜１質量％である。
【００４８】
金属清浄剤は、１種を単独で使用しても、２種以上を併用してもよい。併用する場合でも種類の限定はなく、たとえばスルフォネート化合物同士、サリシレート化合物同士、フェネート化合物同士でもよいが、スルフォネート化合物とサリシレート化合物、スルフォネート化合物とフェネート化合物、サリシレート化合物とフェネート化合物という組み合わせであってもよい。
【００４９】
（Ｅ）エーテルスルホラン化合物
本発明の潤滑油組成物はエーテルスルホラン化合物を含有することにより適度なシールゴム膨潤性をより確保することができる。エーテルスルホラン化合物とは、以下のような化合物である。
【化３】
2017132987.tif 000004
上記式において、Ｒは炭素数１〜２０のアルキル基であり、好ましくは炭素数８〜１６のアルキル基である。
【００５０】
エーテルスルホラン化合物の配合量は、潤滑油組成物中に０〜５質量％が好ましく、０．１〜２質量％がさらに好ましく、０．２〜１質量％がより好ましい。
【００５１】
本発明の潤滑油組成物中は、上記（Ｂ）ないし（Ｅ）以外のその他の添加剤をさらに含んでもよい。たとえば、油性剤、摩耗防止剤、極圧剤、さび止め剤、摩擦調整剤、酸化防止剤、腐食防止剤、金属不活性化剤、流動点降下剤、消泡剤、着色剤、及び自動変速機油用パッケージ添加剤が挙げられる。これらのうち少なくとも１種を含有する各種潤滑油用パッケージ添加剤を添加することもできる。
【００５２】
本発明の潤滑油組成物の１００℃での動粘度は、限定されることはないが、３〜１０ｍｍ２／ｓであることが好ましく、３〜８ｍｍ２／ｓであることがより好ましく、４〜７．５ｍｍ２／ｓであることがさらに好ましく、４〜６ｍｍ２／ｓであることが一層好ましい。潤滑油組成物の１００℃での動粘度が上記下限値未満であると、摩擦係数を十分に確保することができない可能性がある。また、上記上限値超であると、シャダー特性が悪くなる場合がある。
【００５３】
本発明の潤滑油組成物の粘度指数は、限定されることはないが、１５０以上であることが好ましく、１６０以上であることがより好ましい。潤滑油組成物の粘度指数が上記下限値未満であると、低温特性を十分に確保できない可能性がある。また、上限は限定されることはないが、２５０であることが好ましい。
【００５４】
本発明の潤滑油組成物は、低粘度化されているにもかかわらず、十分大きな金属間摩擦係数を有し、且つ、シャダー特性も確保できるという効果を奏する。また、上記の通り、本発明に従いさらに基油及び粘度指数向上剤の構成を特定することにより、せん断安定性を確保することもできる。さらには、エーテルスルホラン化合物を含有することにより、適度なシールゴム膨潤性を確保することもできる。さらには、全塩基価が２００〜４００ｍｇＫＯＨ／ｇの金属清浄剤を使用することによって、清浄性を確保しつつスラッジの発生を抑制できるため好ましい。本発明の潤滑油組成物は無段変速機用として好適に用いることができる。
【実施例】
【００５５】
以下、実施例及び比較例を示し、本発明をより詳細に説明するが、本発明は下記の実施例に制限されるものではない。
【００５６】
実施例及び比較例にて使用した各成分は以下の通りである。下記に示す各成分を表１又は表２に示す組成にて混合して潤滑油組成物を調製した。下記においてＫＶ１００は１００℃での動粘度を、ＶＩは粘度指数を、ＰＭＡはポリメタクリレートを意味する。
（Ａ）潤滑油基油
・鉱油１：高度水素化精製パラフィン系基油（ＫＶ１００＝３．１ｍｍ２／ｓ、ＶＩ＝１１２）
・鉱油２：高度水素化精製パラフィン系基油（ＫＶ１００＝４．２ｍｍ２／ｓ、ＶＩ＝１２２）
・鉱油３：高度水素化精製パラフィン系基油（ＫＶ１００＝４．２ｍｍ２／ｓ、ＶＩ＝１３４）
・鉱油４：水素化精製パラフィン系基油（ＫＶ１００＝２．２ｍｍ２／ｓ、ＶＩ＝１０９）
・鉱油５：水素化精製パラフィン系基油（ＫＶ１００＝２．５ｍｍ２／ｓ、ＶＩ＝９９）
・合成基油１：ポリ−α−オレフィン（ＫＶ１００＝４．１ｍｍ２／ｓ、ＶＩ＝１２６）
・合成基油２：ポリ−α−オレフィン（ＫＶ１００＝１０ｍｍ２／ｓ、ＶＩ＝１３７）
・合成基油３：ポリ−α−オレフィン（ＫＶ１００＝４０ｍｍ２／ｓ、ＶＩ＝１４７）
・合成基油４：エチレン−α−オレフィン共重合体（ＫＶ１００＝１０ｍｍ２／ｓ、  ＶＩ＝１５０）
・合成基油５：エチレン−α−オレフィン共重合体（ＫＶ１００＝４０ｍｍ２／ｓ、ＶＩ＝１５５）
・合成基油６：エチレン−α−オレフィン共重合体（ＫＶ１００＝１００ｍｍ２／ｓ、  ＶＩ＝１６５）
【００５７】
（Ｂ）粘度指数向上剤
・ＰＭＡ系粘度指数向上剤１（Ｍｗ＝３０，０００）
【００５８】
（Ｃ）ホウ素化コハク酸イミド化合物
（Ｃ−１）
・ホウ素化コハク酸イミド化合物１（Ｍｗ＝５，６００、Ｂ：０．３４ｗｔ％、Ｎ＝１．５８ｗｔ％、ポリイソブテニル基含有）
・ホウ素化コハク酸イミド化合物３（Ｍｗ＝４，６００、  Ｂ：１．８ｗｔ％、Ｎ＝２．３５ｗｔ％、ポリイソブテニル基含有）
（Ｃ−２）
・ホウ素化コハク酸イミド化合物２（Ｍｗ＝８，５００、Ｂ：０．２３ｗｔ％、Ｎ＝０．８８ｗｔ％、ポリイソブテニル基含有））
【００５９】
（Ｄ）金属清浄剤
・Ｃａスルホネート（全塩基価３５０ｍｇＫＯＨ／ｇ）
・Ｃａサリシレート（全塩基価３００ｍｇＫＯＨ／ｇ）
・Ｍｇサリシレート（全塩基価４００ｍｇＫＯＨ／ｇ）
【００６０】
（Ｅ）エーテルスルホラン化合物
・ＬＵＢＲＩＺＯＬ７３０（下記式において、Ｒ１＝Ｃ10Ｈ21の化合物）
【化４】
2017132987.tif 000005
【００６１】
（Ｆ）その他の添加剤  
摩耗防止剤、摩擦調整剤、酸化防止剤、消泡剤、金属不活性化剤、及び着色剤
【００６２】
【表１】
2017132987.tif 000006
2017132987.tif 000007
【００６３】
【表２】
2017132987.tif 000008
【００６４】
各潤滑油組成物について下記方法に従い各種性状を測定した。結果を表３及び４に示す。
（１）１００℃における動粘度（ＫＶ100）試験法：ASTMD445に従い測定した。
（２）粘度指数   試験法：ASTM D2270に従い測定した。
（３）せん断安定性   試験法：JASO M347-2014に従い、10時間後の100℃における粘度を測定し、試験開始前の粘度からの変化率を求めた。
（４）シャダー防止寿命  試験法：JASO M349-2012に従い、40℃、60℃、80℃、120℃において評価したdμ/dv（1.0〜2.0m/sにおける平均）のいずれかがが-2x10-3を下回る時間を求めた。
（５）摩擦係数（市販品との比較）  Optimol社製、SRV摩擦摩耗試験機にて同社製SUJ ボール（直径10mm）、SUJディスク（直径24mmx高さ6.9mm、ラッピング処理）を用いて、荷重：100N、温度：100℃、周波数：50Hz、振幅：0.5mmにして試験を行い、30分後の摩擦係数の平均値を求め、市販油との比率を求めた。
（６）ゴム膨潤性試験法：ASTM D471にてC typeダンベル形状のACMゴム（NOK社製 T945）を用い、150℃で試料油に浸漬し、70時間後の体積変化率を求めた。 
【００６５】
尚、表４の比較例２では市販品の変速機用潤滑油組成物を評価した。
【００６６】
【表３】
2017132987.tif 000009
【００６７】
【表４】
2017132987.tif 000010
【００６８】
表３及び表４に記載の実施例１〜１１に示す通り、本発明の潤滑油組成物は、１００℃での動粘度が低いにも関わらず、金属間摩擦係数を低下させることなくシャダー防止寿命を延長することができる。  また、実施例１〜１１と比較例1との対比からわかるように、（Ａ）成分の構成と（Ｂ）成分の構成をさらに特定することにより、上記効果に加えてせん断安定性により優れる潤滑油組成物を提供することができる。  さらに、実施例１〜１０と実施例１１の対比からわかるように、（Ａ）成分の構成を特定し、且つ（Ｅ）エーテルスルホランを含有することにより、上記効果に加えてシールゴム膨潤性をより向上することができる。
【産業上の利用可能性】
【００６９】
本発明の潤滑油組成物は、自動車用変速機用、特には無段変速機用として特に好適に使用できる。